(57)【要約】【課題】演出効果の高い発光演出を行い得る遊技機を提供する。【解決手段】図柄表示装置１７の表示部１７ａの前方に位置するよう板状部材２０に形成された装着口２９ａの開口内側に、外周面から内部に導入された光により前側から視認可能となる図柄が形成された導光パネル７１,７２を配設すると共に、装着口２９ａの内周面と導光パネル７１,７２の外周面との間に発光体基板１１０を配設する。発光体基板１１０における導光パネル７１,７２との対向面に、当該導光パネル７１,７２の外周面へ光を照射するパネル発光体１１１,１１２を列をなすよう配設すると共に、該基板１１０の反対側の面に、基板１１０の前側を覆う装飾カバー９２の発光部へ光を照射するカバー発光体１１２を配設し、パネル発光体１１１,１１２の発光により導光パネル７１,７２の図形を視認可能に明輝させ、カバー発光体１１２の発光により装飾カバー９２の発光部を明輝させる。【選択図】図３
2015198748.tif 000002
【特許請求の範囲】
【請求項１】
遊技球が流下可能な遊技領域が前面側に形成された遊技領域形成部材と、前記遊技領域形成部材の裏側に配設され、当該遊技領域形成部材との間に収容空間を画成する空間画成部材と、前記空間画成部材の裏側に配設され、当該空間画成部材の可視部を介して遊技領域形成部材の前側から表示部を視認可能な図柄表示装置とを備え、前記遊技領域形成部材および空間画成部材の間の収容空間に演出部材が配設された遊技機において、
前記図柄表示装置の表示部の前方に位置するよう前記遊技領域形成部材に形成され、前方または後方へ開口する嵌合部と、
前記嵌合部の開口内側に配設されて前記図柄表示装置の表示部の前方に重なるように位置し、当該嵌合部の内周面に向く外周面から内部に導入された光が反射することで前側から視認可能となる図柄が形成された導光板と、
前記嵌合部の内周面と前記導光板の外周面との間に配設され、当該導光板の外周面に沿って延在する発光体基板と、
前記発光体基板の前側を覆うよう配設されると共に、光を透過可能な発光部を有する装飾カバーと、
前記発光体基板における前記導光板との対向面に、当該導光板の外周面に沿って列をなすよう配設され、当該外周面へ向けて光を照射する図柄発光体と、
前記発光体基板における前記導光板との対向面の反対側の面に配設され、前記装飾カバーの発光部へ向けて光を照射する装飾発光体とを備え、
前記図柄発光体を発光させることにより前記導光板に形成された図形が前側から視認可能に明輝されると共に、前記装飾発光体を発光させることにより前記装飾カバーの発光部が前側から視認可能に明輝されるよう構成された
ことを特徴とする遊技機。
【請求項２】
前記導光板と図柄発光体との間に、当該導光板の外周面に沿って延在するレンズ部材が配設されると共に、
前記レンズ部材には、各図柄発光体に対応して前記導光板側へ膨出する凸レンズ部が形成された請求項１記載の遊技機。
【請求項３】
前記導光板として、第１の導光板と、当該第１の導光板に対して前後に重なるよう配置された第２の導光板とを備え、
前記発光体基板には、前記第１の導光板の外周面へ向けて光を照射する第１の図柄発光体と、前記第２の導光板の外周面へ向けて光を照射する第２の図柄発光体とが対応する導光板の外周面に沿って列をなすよう設けられると共に、当該第１の図柄発光体の列と第２の図柄発光体の列との間に、前記導光板側に開口する複数の嵌合孔が形成され、
前記第１の図柄発光体の列と第２の図柄発光体の列との間に、前記複数の嵌合孔の形成位置に対応して突出部が形成された非光透過性の仕切り板が配設され、当該突出部を対応の嵌合孔に差し込むことで、当該仕切り板における端縁が発光体基板の実装面に当接した状態で位置決め保持されるよう構成された請求項１または２記載の遊技機。
【請求項４】
前記第１の導光板に接触する第１の接触部と、前記第２の導光板に接触する第２の接触部とを備えたアース板をアース部に電気的に接続するよう構成された請求項３記載の遊技機。
【発明の詳細な説明】
【技術分野】
【０００１】
本発明は、前面側に遊技球が流下可能な遊技領域が形成された遊技領域形成部材の裏側に、当該遊技領域形成部材との間に収容空間を画成する空間画成部材が配設された遊技機に関する。
【背景技術】
【０００２】
遊技機の一種としてのパチンコ機は、遊技店の図示しない設置枠台に設置される固定枠としての外枠に、遊技盤や制御装置等の各種部材が設置される本体枠としての中枠を開閉可能に組み付けると共に、該遊技盤を透視保護するガラス板を備えた装飾枠としての前枠を中枠の前面側に開閉可能に組み付けて構成される。前記遊技盤は、パチンコ球(遊技球)が流下する遊技領域が画成された板状部材の後側に、各種演出部材の設置基盤となる箱状の設置部材が配設されると共に、当該設置部材の後側に液晶パネル等の図柄表示装置が配設されて、設置部材に開設された表示開口や、板状部材に開設された装着口および遊技領域の略中央位置に配設された枠状装飾体の窓口を介して図柄表示装置の表示部が前側に臨むようになっている。そして、遊技盤の遊技領域に打出されたパチンコ球が始動入賞装置に入賞することにより、図柄表示装置の表示部で図柄変動演出が行われるようになっている。
【０００３】
このようなパチンコ機では、ＬＥＤ等の発光体を備えた発光演出装置が設置部材や枠状装飾体等のように遊技盤の適宜位置に配設されて、前記図柄表示装置の図柄変動演出に合わせて発光体を点灯・点滅等することにより演出効果の向上を図ることが行なわれている。このような発光演出装置として、凹凸により図柄が形成された乱反射領域を有する透明パネルを配設し、該透明パネルの周面から導入された光を乱反射領域で乱反射させることで透明パネルに形成した図柄が光って見えるようになる発光演出装置が提案されている(特許文献１参照)。
【先行技術文献】
【特許文献】
【０００４】
【特許文献１】特開２００６−２５４９５９号公報
【発明の概要】
【発明が解決しようとする課題】
【０００５】
ここで、特許文献１に開示の発光演出装置では、発光体の点灯および消灯を切り替えることで、透明パネルに形成された模様が発光表示された状態と非表示の状態とに変化させることにより発光演出を可能としている。しかしながら、発光体の点灯および消灯の切り替えにより、透明パネルに形成された図柄の表示および非表示が単独で変化するにすぎず、発光演出が単調になる問題が指摘される。
【０００６】
すなわち本発明は、従来の技術に係る遊技機に内在する前記課題に鑑み、これを好適に解決するべく提案されたものであって、演出効果の高い発光演出を行い得る遊技機を提供することを目的とする。
【課題を解決するための手段】
【０００７】
前記課題を解決し、所期の目的を達成するため、本願の請求項１に係る発明は、
遊技球が流下可能な遊技領域(22)が前面側に形成された遊技領域形成部材(21)と、前記遊技領域形成部材(21)の裏側に配設され、当該遊技領域形成部材(21)との間に収容空間(47)を画成する空間画成部材(45)と、前記空間画成部材(45)の裏側に配設され、当該空間画成部材(45)の可視部(45c)を介して遊技領域形成部材(21)の前側から表示部(17a)を視認可能な図柄表示装置(17)とを備え、前記遊技領域形成部材(21)および空間画成部材(45)の間の収容空間(47)に演出部材(48)が配設された遊技機において、
前記図柄表示装置(17)の表示部(17a)の前方に位置するよう前記遊技領域形成部材(21)に形成され、前方または後方へ開口する嵌合部(29a)と、
前記嵌合部(29a)の開口内側に配設されて前記図柄表示装置(17)の表示部(17a)の前方に重なるように位置し、当該嵌合部(29a)の内周面に向く外周面から内部に導入された光が反射することで前側から視認可能となる図柄が形成された導光板(71,72)と、
前記嵌合部(29a)の内周面と前記導光板(71,72)の外周面との間に配設され、当該導光板(71,72)の外周面に沿って延在する発光体基板(110)と、
前記発光体基板(110)の前側を覆うよう配設されると共に、光を透過可能な発光部を有する装飾カバー(92)と、
前記発光体基板(110)における前記導光板(71,72)との対向面に、当該導光板(71,72)の外周面に沿って列をなすよう配設され、当該外周面へ向けて光を照射する図柄発光体(111,112)と、
前記発光体基板(110)における前記導光板(71,72)との対向面の反対側の面に配設され、前記装飾カバー(92)の発光部へ向けて光を照射する装飾発光体(112)とを備え、
前記図柄発光体(111,112)を発光させることにより前記導光板(71,72)に形成された図形が前側から視認可能に明輝されると共に、前記装飾発光体(112)を発光させることにより前記装飾カバー(92)の発光部が前側から視認可能に明輝されるよう構成されたことを要旨とする。
【０００８】
このように、図柄発光体および装飾発光体を発光体基板に配設して、図柄発光体の発光により導光板に形成された図形が前側から視認可能に明輝され、装飾発光体の発光により装飾カバーの発光部が前側から視認可能に明輝されるようにすることで、図柄発光体の点灯・消灯の切り替えに応じて図柄の表示・非表示を切り替えるだけでなく、装飾カバーの発光部の発光による発光演出を合わせて行うことができる。これにより、バリエーションの豊かな発光演出を実現することができる。このとき、図柄発光体および装飾発光体は、発光体基板における表裏の異なる面に配設されているから、光を遮る遮光板として発光体基板そのものを機能させて、図柄発光体の発光により装飾カバーの発光部が明輝されたり、装飾発光体の発光により導光部材の図柄が表示されるといった不都合を防止できるから、図柄発光体および装飾発光体を利用して所定の発光演出を実行することができる。また、図柄表示装置の表示部の前方に重なるよう導光板が設けられているから、図柄発光体の発光に応じて、当該表示部で行われる演出に重ね合わせるよう前記導光板に形成された図形を表示させることができ、意外性の高い発光演出を行い得る。
【０００９】
請求項２に係る発明は、
前記導光板(71,72)と図柄発光体(111,112)との間に、当該導光板(71,72)の外周面に沿って延在するレンズ部材(121,122)が配設されると共に、
前記レンズ部材(121,122)には、各図柄発光体(111,112)に対応して前記導光板(71,72)側へ膨出する凸レンズ部(123)が形成されたことを要旨とする。
このように、各図柄発光体に対応して導光板側へ膨出する凸レンズ部を形成したレンズ部材を設けたことで、各図柄発光体から照射される光の直進性を高めることができ、外周面から内部に導入された図柄発光体の光により図柄を明瞭に表示して、図柄が浮き上がるように表示させることができる。また、後方側で行われる図柄表示装置の演出と紛れにくい図柄を、図柄発光体の光により導光板に視認可能に表示させることが可能となるから、当該図柄発光体に形成した図形の表示・非表示の切り替わりによる演出効果を高めることができる。
【００１０】
請求項３に係る発明は、
前記導光板として、第１の導光板(71)と、当該第１の導光板(71)に対して前後に重なるよう配置された第２の導光板(72)とを備え、
前記発光体基板(110)には、前記第１の導光板(71)の外周面へ向けて光を照射する第１の図柄発光体(111)と、前記第２の導光板(72)の外周面へ向けて光を照射する第２の図柄発光体(112)とが対応する導光板(71,72)の外周面に沿って列をなすよう設けられると共に、当該第１の図柄発光体(111)の列と第２の図柄発光体(112)の列との間に、前記導光板(71,72)側に開口する複数の嵌合孔(114)が形成され、
前記第１の図柄発光体(111)の列と第２の図柄発光体(112)の列との間に、前記複数の嵌合孔(114)の形成位置に対応して突出部(117)が形成された非光透過性の仕切り板(116)が配設され、当該突出部(117)を対応の嵌合孔(114)に差し込むことで、当該仕切り板(116)における端縁が発光体基板(110)の実装面に当接した状態で位置決め保持されるよう構成されたことを要旨とする。
このように、前後に重なるよう第１の導光板と第２の導光板とを設けることで、対応する第１および第２の図柄発光体の点灯・消灯の切り替えに応じて図柄の表示・非表示を切り替えるだけでなく、装飾カバーの発光部の発光による発光演出を合わせて行うことができ、より一層バリエーションの豊かな発光演出を実現することができる。また、第1の図柄発光体の列と第２の図柄発光体の列との間に非光透過性の仕切り板を配設することで、第1および第２の図柄発光体の点灯・消灯を切り替えた際に、対応していない導光板の図柄の表示・非表示が影響を受けるのを防ぐことができるから、各図柄発光体や装飾発光体を利用して所定の発光演出を実行することができる。
しかも、発光体基板における第1の図柄発光体の列と第２の図柄発光体の列との間に複数の嵌合孔を形成して、仕切り板に形成した突出部を差し込むよう構成したことで、発光体基板に対して仕切り板が位置ずれするのを効果的に防ぐことができ、第1および第２の図柄発光体の夫々を、対応する第１および第２の導光板の外周面に安定して対向させることができる。
【００１１】
請求項４に係る発明は、
前記第１の導光板(71)に接触する第１の接触部(130a)と、前記第２の導光板(72)に接触する第２の接触部(130b)とを備えたアース板(130)をアース部に電気的に接続するよう構成されたことを要旨とする。
このように、アース部に電気的に接続するアース板に、第１および第２の導光板に接触する第１の接触部および第２の接触部を設けることで、図柄表示装置の表示部の前方に重なるように位置することで帯電し易い両導光板の静電気を効率的に除去できる。
【発明の効果】
【００１２】
本発明に係る遊技機によれば、図柄発光体の点灯・消灯の切り替えに応じて行われる図柄表示装置の表示部の前方での導光板に形成した図柄の表示・非表示による発光演出と、装飾発光体の発光による装飾カバーの発光部の発光による発光演出とを組み合わせた多彩な発光演出を実現し得る。
【図面の簡単な説明】
【００１３】
【図１】実施例に係るパチンコ機を示す正面図である。
【図２】実施例に係る遊技盤を示す正面図である。
【図３】図２のＡ−Ａ線断面図である。
【図４】枠状装飾体の正面図である。
【図５】枠状装飾体の分解斜視図である。
【図６】パネル発光装置の分解斜視図である。
【図７】発光体基板と、仕切り板と、第１および第２のレンズ部材と、取付ベースとを背面側から見た状態で示す斜視図である。
【図８】枠状装飾体の要部を拡大して示す背面図である。
【図９】(a)は図４におけるＢ−Ｂ線におけるパネル発光装置の断面図であり、(b)は図８におけるＣ−Ｃ線におけるパネル発光装置の断面図である。
【図１０】図４におけるＤ−Ｄ線断面図である。
【図１１】パネル発光装置の照明部の断面図であって、(a)は第１のレンズ部材の配設位置での断面を背面側から見た状態を示し、(b)は第２のレンズ部材の配設位置での断面を背面側から見た状態を示している。
【図１２】レンズ部材を拡大して示す要部拡大断面図である。
【図１３】第１および第２の導光パネルにおけるアース板の配設位置を示す拡大図である。
【発明を実施するための形態】
【００１４】
次に、本発明に係る遊技機につき、好適な実施例を挙げて、添付図面を参照しながら以下詳細に説明する。なお、実施例では、遊技球としてパチンコ球を用いて遊技を行うパチンコ機１０を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１５】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２(図示せず)が開閉および着脱可能に組み付けられて、該遊技盤２０の裏側に、所定条件の成立(後述する第１または第２始動入賞部３７,４１の始動入賞口へのパチンコ球の入賞)を契機として演出用の図柄(飾図という)を表示部１７ａに変動表示させて図柄変動演出を行う図柄表示装置１７が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記上球受け皿１４は、前記前枠１３と別体に形成してもよい。なお、球受け皿１４,１５については、上下２枚の球受け皿１４,１５を備えるものに限らず、１枚の球受け皿１４,１５のみを設ける構成であってもよい。
【００１６】
前記図柄表示装置１７は、各種図柄を表示可能な液晶パネルを収容ケースに収容した液晶表示装置が採用される。実施例に係る図柄表示装置１７は、前記飾図を変動表示可能な図柄表示部(図示せず)が横並び状に３列設けられており、図柄変動演出の開始に伴い各列の飾図が予め定められた変動方向(例えば上から下への縦方向、右から左への横方向等)へ変動表示し、所定のタイミングで各列の飾図が全て停止表示されることで、１回の図柄変動演出が終了するようになっている。実施例では、基本的に飾図が縦方向へ変動表示されるよう構成されている。なお、図柄表示装置１７としては、ドラム式の図柄表示装置１７やドットマトリックス式の図柄表示装置１７等の各種図柄を停止および変動表示可能な従来公知の各種の図柄表示装置１７を採用し得る。
【００１７】
前記前枠１３の右下方位置には、前記中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａの回動量を操作することで、遊技領域２２の内の第１の球流下領域２２ａ(後述)をパチンコ球が流下する所謂「左打ち」と、該遊技領域２２の内の第２の球流下領域２２ｂ(後述)をパチンコ球が流下する所謂「右打ち(ゴム打ち)」とを打ち分け得るようになっている。
【００１８】
(遊技盤２０について)
実施例の前記遊技盤２０は、図２に示すように、パチンコ球が流下可能な遊技領域２２が前面側に形成された板状部材(遊技領域形成部材)２１と、該板状部材２１の裏側に配設され、当該板状部材２１との間に収容空間４７を画成する設置部材(収容空間画成部材)４５とから構成されている。前記板状部材２１は、合成樹脂材やベニヤ材等から所定板厚の略矩形状に形成されており、前面(盤面)に配設された略円形状の案内レール２３によりパチンコ球が流下可能な遊技領域２２が画成されている。実施例の板状部材２１は、アクリル樹脂から形成された透明板であって、前記収容空間４７を板状部材２１の前面側から透視し得るようになっている。また、前記板状部材２１と設置部材４５との間の収容空間４７には、発光により演出を行う発光演出装置や、可動体の動作により演出を行う可動演出装置等の各種演出部材４８(図３参照)が設置されており、透明な板状部材２１を介して遊技盤２０の前面側から当該収容空間４７内の演出部材４８を遊技者が目視し得るよう構成されている。なお、前記図柄表示装置１７は、設置部材４５の裏側に取り付けられて、後述するように設置部材４５に設けた開口部(可視部)４５ｃおよび枠状装飾体５０(後述)の開口部５０ａに配設されたパネル発光装置６０を介して遊技盤２０の前側から視認可能に臨むよう構成される。
【００１９】
前記案内レール２３は、図２に示すように、板状部材２１の左下部から右上部に至るよう左方向に膨出する円弧状に形成された外レール２４と、板状部材２１の右上部、右下部および左上部に至るよう右方向に膨出する円弧状に形成された内レール２５とから構成されている。前記内レール２５は、外レール２４の右上端部に連接して板状部材２１の右上部から下部に亘って配設され、左端縁が右方に凹む円弧状に形成された盤面飾り部材２５ａと、板状部材２１の下部から左上部に亘って配設されて盤面飾り部材２５ａの下端部に連接し、前記外レール２４の右方(内側)に離間して位置するレール部材２５ｂとから構成され、該外レール２４およびレール部材２５ｂにより１個のパチンコ球が通過可能な発射通路２６が画成されている。ここで、前記内レール２５を構成するレール部材２５ｂは、前記板状部材２１の左上部に開放端が臨むよう配置されて、外レール２４との間に遊技領域２２に開口する発射口を画成するよう構成され、前記打球発射装置から発射されたパチンコ球が発射通路２６の下方開口から飛翔して、当該発射口から遊技領域２２内に打ち出されるようになっている。
【００２０】
前記板状部材２１には、前後に貫通する装着口(図３参照)が前記遊技領域２２内の適宜位置に開設されて、各装着口に対して各種の遊技盤設置部品が配設されている。なお、実施例の遊技盤２０には、遊技盤設置部品として枠状装飾体５０、第１の始動入賞部３５、第２の始動入賞部４１、特別入賞部４２、普通入賞部３８、ゲート部４３等を設置する装着口が形成されている。なお、図３には、枠状装飾体５０および第１の始動入賞部３５が設置される装着口２９ａ,２９ｂを図示してある。そして、前記遊技盤２０の板状部材２１において遊技領域２２の最下部位置に、該遊技領域２２の最下部位置まで流下したパチンコ球を遊技盤２０の外部に排出するアウト口３０が開設されている。なお、前記アウト口３０は、遊技領域２２において第１の球流下領域２２ａを流下したパチンコ球および第２の球流下領域２２ｂを流下したパチンコ球が共に到来し得る合流領域に形成されている。すなわち、前記打球発射装置から発射されて遊技領域２２を流下するパチンコ球が前記遊技盤設置部品に設けられた入球部(第１の始動入賞部３５、第２の始動入賞部４１、特別入賞部４２、普通入賞部３８、ゲート部４３等)に入球することにより、入球した入球部に応じた賞球の払い出しや図柄変動演出の実行等の所定の遊技が行われ、遊技領域２２の最下部まで流下したパチンコ球がアウト口３０を介して機外に排出されるよう構成される。なお、前記装着口の形成数は、板状部材２１に対して取り付けられる遊技盤設置部品の配設位置や配設数等に応じて適宜に決定される。
【００２１】
また、前記板状部材２１には、前記遊技領域２２内に多数の遊技釘３２が設けられると共に、後述する枠状装飾体５０の左側方に、遊技領域２２(第１の球流下領域２２ａ)を流下するパチンコ球の接触に伴って回転する回転案内部材３３が回転自在に支持されており、遊技釘３２や回転案内部材３３との接触によりパチンコ球の流下方向が不規則に変化するよう構成されている。前記回転案内部材３３は、所謂「風車」とも称される部材であって、該回転案内部材３３の回転に伴ってパチンコ球を弾くように左右方向へ放出する部材である。
【００２２】
実施例の前記板状部材２１には、図２、図３に示すように、前記案内レール２３で囲まれた遊技領域２２の略中央の大部分が開口する装着口２９ａに、前後に開口する枠状に形成された枠状装飾体５０が取り付けられ、該枠状装飾体５０の開口部５０ａの後方に、前記設置部材４５の開口部４５ｃが位置するようになっている。すなわち、前記枠状装飾体５０の開口部５０ａの後方に前記図柄表示装置１７の表示部１７ａが位置するよう構成されている。
【００２３】
また、前記板状部材２１には、前記枠状装飾体５０の下方位置(アウト口３０の直上位置)に形成された装着口２９ｂ(図３参照)に、遊技領域２２を流下するパチンコ球が入賞可能な第１の始動入賞部３５が配設されている。第１の始動入賞部３５は、パチンコ球が入賞可能な第１始動入賞口が遊技領域２２(第１の球流下領域２２ａ)内で常に上方開口する常時開放型の入賞部とされ、遊技盤２０の遊技領域２２(第１の球流下領域２２ａ)を流下するパチンコ球の流下態様に応じて任意のタイミングで第１始動入賞口にパチンコ球が入球(入賞)し得るよう構成されている。また、前記板状部材２１には、前記第１の始動入賞部３５の左側方(枠状装飾体５０の左下方位置)に形成された装着口(図示せず)に、遊技領域２２を流下するパチンコ球が入賞可能な普通入賞部３８が複数設けられた普通入賞ユニット３７が配設されている。なお、各普通入賞部３８は、前記第１の始動入賞部３５と同様に、パチンコ球が入賞可能な普通入賞口が遊技領域２２(第１の球流下領域２２ａ)内で常に上方開口する常時開放型の入賞部とされ、遊技盤２０の遊技領域２２(第１の球流下領域２２ａ)を流下するパチンコ球の流下態様に応じて任意のタイミングで普通始動入賞口にパチンコ球が入球(入賞)し得るようになっている。
【００２４】
そして、前記板状部材２１には、前記第１の始動入賞部３５の右側方(枠状装飾体５０の右下方位置)に形成された装着口(図示せず)に、ゲート部４３、第２の始動入賞部４１および特別入賞部４２を有する複合入賞ユニット４０が配設されている。前記ゲート部４３は、パチンコ球が通過可能なゲート入口およびゲート出口が遊技領域２２(第２の球流下領域２２ｂ)内で常に上下に開口する常時開放型の入球部とされ、遊技盤２０の遊技領域２２(第２の球流下領域２２ｂ)を流下するパチンコ球の流下態様に応じて任意のタイミングでゲート入口をパチンコ球が入球(通過)して、ゲート出口を介して遊技領域２２(第２の球流下領域２２ｂ)に排出されるようになっている。また、第２の始動入賞部４１は、パチンコ球が入賞可能な第２始動入賞口を駆動手段の駆動に伴って開放可能に開閉部材４１ａで閉鎖する開閉型の入賞部とされており、遊技盤２０の遊技領域２２(第２の球流下領域２２ｂ)を流下するパチンコ球の流下態様および駆動手段の駆動による開閉部材４１ａの開放動作タイミングに応じて第２始動入賞口にパチンコ球が入賞し得るよう構成されている。同様に、特別入賞部４２は、パチンコ球が入賞可能な特別入賞口を駆動手段の駆動に伴って開放可能に開閉部材４２ａで閉鎖する開閉型の入賞部とされており、遊技盤２０の遊技領域２２(第２の球流下領域２２ｂ)を流下するパチンコ球の流下態様および図示しない駆動手段の駆動による開閉部材４２ａの開放動作タイミングに応じて特別入賞口にパチンコ球が入賞し得るよう構成されている。なお、図２には、第２始動入賞部４１および特別入賞部４２の入賞口が対応の開閉部材４１ａ,４２ａで閉鎖された状態を示している。
【００２５】
そして、前記第１の始動入賞部３５、第２の始動入賞部４１、特別入賞部４２および普通入賞部３８の夫々は、各対応の入賞口に入賞したパチンコ球を検出する入賞検出センサ(図示せず)を備えており、各入賞検出センサがパチンコ機１０の裏側に配設された制御基板に配線接続されている。そして、第１および第２の始動入賞部４０,４１が備える入賞検出センサの何れかによるパチンコ球の検出(パチンコ球を検出した検出信号の入力)に伴い特図当り判定条件(当り判定条件)が成立するようになっている。そして、特図当り判定条件が成立することで、特図当り(大当りや小当り)を生起させるか否かに関する特図当り判定が行われ、該判定結果が当りであった場合に、図柄表示装置１７で行われる図柄変動演出の結果として所定の当り表示(例えば同一図柄の３つ揃い等)で飾図が確定停止表示されて、前記特別入賞部４２の開閉部材４２ａを開放する遊技者に有利な当り遊技が付与されるよう構成されている。また、実施例のパチンコ機１０では、前記入賞検出センサがパチンコ球を検出することで賞球払出条件が成立するよう構成されており、当該賞球払出条件の成立に伴ってメイン制御基板が図示しない払出制御装置に制御信号を出力して、所定数の賞球が前記上球受け皿１４または下球受け皿１５に払い出されるようになっている。
【００２６】
また、前記ゲート部４３には、該ゲート口に入球して当該ゲート部４３を通過するパチンコ球を検出するゲートセンサ(図示せず)が設けられている。このゲートセンサは、パチンコ機１０の裏側に配設された制御基板に配線接続されており、該ゲートセンサからメイン制御基板への球検出信号の入力(すなわちパチンコ球の検出)に伴って普図当り判定条件が成立するようになっている。そして、普図当り判定条件の成立に伴って普図当りを生起させるか否かに関する普図当り判定が行われ、該判定結果が当りの判定であった場合に、前記第２の始動入賞部４１の開閉部材４１ａを開放作動されて、当該第２始動入賞口が開放するよう構成されている。なお、実施例では、前記ゲートセンサがパチンコ球を検出することによっては賞球払出条件が成立しないよう設定されており、パチンコ球のゲート部４３の通過に伴って賞球が払い出されないようになっている。
【００２７】
(設置部材４５について)
前記設置部材４５は、前記板状部材２１の外郭形状より僅かに小さな形状に形成された略矩形状の背面板４５ａと、該背面板４５ａの外周縁部から前方に突出する外周壁部４５ｂとから前方に開口した箱状に形成されて(図３参照)、該外周壁部４５ｂの開口前端部を板状部材２１の裏面に当接させた状態で、当該板状部材２１と設置部材４５とがネジにより固定される。また、前記設置部材４５の背面板４５ａには、前記枠状装飾体５０の開口部５０ａと前後に整列する位置に、略矩形状の開口部４５ｃが前後に開口するよう開設されると共に、該背面板４５ａの裏側に前記図柄表示装置１７が着脱自在に取り付けられて、該開口部４５ｃを介して図柄表示装置１７の表示部１７ａが設置部材４５(遊技盤２０)の前側に臨むようになっている。そして、前記設置部材４５において開口部４５ｃを囲繞する周囲に各種演出部材４８が設置されて、設置部材４５を基材とする１つのユニットとして扱い得るようになっている。
【００２８】
(枠状装飾体５０について)
次に、前記枠状装飾体５０について詳細に説明する。前記枠状装飾体５０は、図４、図５に示すように、前記板状部材２１に開設された枠状装飾体５０が配設される装着口２９ａの内側に沿って延在する環状に形成された枠状基部５１と、該枠状基部５１の前面から前方に突出するよう設けられ、前記遊技領域２２を区切る庇状部５２とを備えており、当該装着口２９ａの開口縁を覆うように枠状基部５１の後面を板状部材２１の前面に当接させた状態で、前面側からネジ等の固定手段により板状部材２１に固定されている。また、前記枠状装飾体５０の左右側部には、パチンコ球が通過可能な球通路を形成する通路形成部５４,５５が設けられており、当該遊技領域２２の第１の球流下領域２２ａおよび第２の球流下領域２２ｂを流下する過程において通路形成部５４,５５をパチンコ球が通過し得るようになっている。そして、前記庇状部５２は、図５に示すように、前記枠状装飾体５０(枠状基部５１)における前記左右の通路形成部５４,５５の形成位置を除く略全周に亘って延在するよう設けられており、遊技領域２２を流下するパチンコ球が前記枠状基部５１により形成される開口部５０ａの内側へ進入することを規制している。
【００２９】
ここで、左右の通路形成部５４,５５は、球通路の後面を画成する後側部材５４ａ,５５ａと、球通路の前面を画成する前側部材５４ｂ,５５ｂとから構成されて、当該前後の部材５４ａ,５４ｂ,５５ａ,５５ｂにより、遊技領域２２内において上端および下端が開口する球通路を形成している。なお、左側の通路形成部５４は、後側部材５４ａが前方へ開口する断面コ字状に形成されて、当該後側部材５４ａの前方開口を前側部材５４ｂで塞ぐよう構成されている。一方で、右側の通路形成部５５は、前後の部材５５ａ,５５ｂが平板状に形成されて両部材５５ａ,５５ｂの間が側方へ開口するよう構成されており、当該右側の通路形成部５５の側方前方開口を前記内レール２５(盤面飾り部材２５ａの内周面)で塞ぐよう構成されている。
【００３０】
また、前記庇状部５２は、枠状装飾体５０の上部において左側に偏った位置で左右の傾斜方向が変化するよう構成されている。すなわち、実施例の遊技領域２２は、前記庇状部５２の頂部を境にした枠状装飾体５０の左側の領域(左上部か左下部に至る領域)が第１の球流下領域２２ａとされ、当該頂部を境にして枠状装飾体５０の右側の領域(右上部か右下部に至る領域)が第２の球流下領域２２ｂとされて、枠状装飾体５０の下部において第１の球流下領域２２ａおよび第２の球流下領域２２ｂが合流するようになっている。すなわち、前記打球発射装置により遊技領域２２内に発射されたパチンコ球は、到達位置に応じて前記枠状装飾体５０の庇状部５２およびレール部材２５ｂ(内レール２５)の間に形成される第１の球流下領域２２ａか、或いは枠状装飾体５０の庇状部５２、外レール２４および盤面飾り部材２５ａ(内レール２５)の間に形成される第２の球流下領域２２ｂの何れかを流下する。そして、実施例に係るパチンコ機１０では、前記第１の球流下領域２２ａをパチンコ球が流下する場合(左打ちした場合)に、パチンコ球が第２の球流下領域２２ｂを流下する場合に較べて第１の始動入賞部３５の第１始動入賞口にパチンコ球が入賞する可能性が高くなるよう構成されると共に、該第２の球流下領域２２ｂをパチンコ球が流下する場合(右打ちの場合)に、パチンコ球が第１の球流下領域２２ａを流下する場合に較べて特別入賞部４２の特別入賞口や第２の始動入賞部４１の第２始動入賞口へパチンコ球が入賞する可能性が高くなるよう構成されている。
【００３１】
また、前記枠状装飾体５０には、前記枠状基部５１の後面から後方に延出する板状の支持壁部５３(図３参照)が形成されており、当該枠状装飾体５０を板状部材２１に取り付けた際に、支持壁部５３が装着口２９ａに前側から挿入されて当該装着口２９ａの開口内周面と対向するようになっている。ここで、前記支持壁部５３は、前記発射通路２６の発射口から緩衝ゴムの間を延在する前記外レール２４と対向する前記枠状装飾体５０の上縁部に位置するよう前記枠状基部５１に沿って設けられており、当該支持壁部５３により枠状装飾体５０の剛性を高めている。すなわち、発射口から発射されたパチンコ球との接触頻度が高い枠状装飾体５０の上部位置に支持壁部５３を形成することで、庇状部５２へのパチンコ球の接触に伴う枠状装飾体５０の損傷を防止している。また、前記支持壁部５３には、前記枠状装飾体５０の開口内側に、当該支持壁部５３に沿って離間する複数箇所(実施例では３カ所)に固定部(図示せず)が設けられており、当該支持壁部５３の固定部に、後述する上部発光演出装置５８が固定されている。
【００３２】
なお、図４、図５に示すように、前記枠状装飾体５０の枠状基部５１には、前記開口部５０ａの下縁部に位置する庇状部５２の下方位置に、前後に開口する横長のステージ取付口５１ｂが開設されて、パチンコ球が左右方向に転動可能なステージ５６が当該ステージ取付口５１ｂに臨むよう取り付けられている。なお、前記ステージ５６は、前記第１の始動入賞部３５の上方に位置しており、当該ステージ５６から前側に排出されたパチンコ球が第１の始動入賞部３５に入賞し得るようになっている。
【００３３】
また、前記枠状装飾体５０は、図４、図５に示すように、前記環状の枠状基部５１により形成される開口内側の上部位置に上部発光演出装置５８が配設されると共に、当該枠状基部５１の開口内側において上部発光演出装置５８の下方位置にパネル発光装置６０が配設されている。前記上部発光演出装置５８は、当該上部発光演出装置５８の略全体が前記設置部材４５に開設された開口部４５ｃの開口上縁よりも上方に位置するよう配置されており、当該設置部材４５の背面板４５ａの前方に上部発光演出装置５８が位置している。また、前記上部発光演出装置５８の下方に配設される前記パネル発光装置６０は、前記設置部材４５の開口部４５ｃの前方に位置する図柄パネル体６１(後述)を備えており、当該図柄パネル体６１が図柄表示装置１７の表示部１７ａの前方に重なるように位置している。すなわち、前記図柄表示装置１７の表示部１７ａは、前記パネル発光装置６０の図柄パネル体６１を介して遊技盤２０の前方から視認し得るようになっている。
【００３４】
(パネル発光装置６０について)
前記パネル発光装置６０は、図５、図６に示すように、前記図柄表示装置１７の表示部１７ａの前方に重なるよう前記枠状装飾体５０の開口内側に配置されると共に前側から後方を透視可能な透明な図柄パネル体６１と、該図柄パネル体６１の外周部(上部)に設けられ、当該図柄パネル体６１へ向けて光を照射する照明部９１とを備えており、当該照明部９１から図柄パネル体６１の外周面へ向けて照射された光により、前側から視認可能となる図柄が図柄表示装置１７の表示部１７ａの前方に表示されるよう構成されている。すなわち、前記図柄パネル体６１は、前記遊技盤２０(板状部材２１)に形成された装着口２９ａの開口内側に位置するよう配設されると共に、当該装着口２９ａの内周面と図柄パネル体６１の外周面との間に照明部９１(後述する発光体基板１１０)が配設されている。また、前記パネル発光装置６０は、前記枠状装飾体５０において前記上部発光演出装置５８を取り付けた状態で画成される開口領域(上部発光演出装置５８より下方の開口領域)の全面を覆うよう構成されている。すなわち、前記枠状装飾体５０に形成された開口部５０ａは、前記上部発光演出装置５８およびパネル発光装置６０により塞がれるよう構成されている。なお、前記枠状装飾体５０において、前記上部発光演出装置５８を取り付けた状態で画成される開口領域を、パネル発光装置６０の設置開口と称する場合がある。
【００３５】
(図柄パネル体６１について)
前記図柄パネル体６１は、図６に示すように、前後に開口する環状に形成された取付ベース６２と、当該取付ベース６２に配設されて外周面から内部に導入された光が反射することで前側から視認可能となる図柄が形成された複数(実施例では２つ)の導光パネル(導光板)７１,７２とから構成され、当該取付ベース６２が前記枠状装飾体５０に対して着脱可能に取り付けられるようになっている。また、前記取付ベース６２には、前記照明部９１が着脱可能に取り付けられるよう構成されて、当該取付ベース６２を枠状装飾体５０に取り付けることで、パネル発光装置６０が枠状装飾体５０に配設されるようになっている。なお、前記取付ベース６２は、前記設置開口の中央側に所定の幅を有する帯板状に形成されている。
【００３６】
(取付ベース６２)
前記取付ベース６２は、図６に示すように、前記枠状装飾体５０の開口部５０ａを横切るように左右方向に直線状に延在する取付基部６３と、当該取付基部６３の左右両端部に連続すると共に前記枠状基部５１に沿って延在する輪郭部６４とから前後に開口する環状に形成されて、前記上部発光演出装置５８を取り付けた状態での枠状装飾体５０の開口縁を縁取るように延在している。また、前記輪郭部６４には、前記取付ベース６２の開口内側となる縁部から離間する位置に、当該輪郭部６４に沿って延在する突条部６４ａ(図７図９(b)、図１０参照)が後方へ突出するよう設けられており、環状に形成された板枠状の取付ベース６２の剛性を高めている。また、前記輪郭部６４における前記突条部６４ａの形成位置には、当該輪郭部６４の延在方向に沿って離間した複数カ所(実施例では８カ所)に、後方へ向けて突出するベース固定部６４ｂ(図７に一部を図示)が設けられており、前記枠状装飾体５０の枠状基部５１に形成された通孔５１ａに後方から挿通したネジをベース固定部６４ｂのネジ孔に螺挿することで、前記取付ベース６２(パネル発光装置６０)が枠状装飾体５０に固定されるようになっている。更に、前記輪郭部６４には、前記突条部６４ａの形成位置よりも取付ベース６２の開口内側となる縁部側に、後方へ突出するパネル固定部６４ｃが設けられている。前記パネル固定部６４ｃは、前記輪郭部６４の延在方向に沿って離間した複数カ所(実施例では６カ所)に、前記突条部６４ａよりも後方へ突出するよう設けられている。
【００３７】
前記取付基部６３は、取付ベース６２を取り付けた前記枠状装飾体５０を前記板状部材２１に配設した状態で、前記設置部材４５に開設された開口部４５ｃの開口上縁に沿って直線的に延在するよう形成されている。そして、取付基部６３における左右の両端部位置に、前後に貫通する嵌合孔１１４を有する嵌合筒部６３ａが後方へ突出するよう形成されて、当該嵌合筒部６３ａを介して前記照明部９１が取付ベース６２に取り付けられるようになっている。なお、前記輪郭部６４に形成された突条部６４ａが前記嵌合筒部６３ａの外周部に連設するよう構成されており、取付ベース６２の剛性向上を図っている。また、前記取付基部６３の後面には、前記左右の嵌合筒部６３ａに隣接する側方位置に、後述する第１のレンズ部材１２１を位置決めする位置決め部６５が夫々形成されると共に、当該左右の嵌合筒部６３ａに隣接する下方位置に、後述する仕切り板１１６を固定する仕切り板固定部６３ｂ(図７参照)が形成されている。
【００３８】
(導光パネル７１,７２について)
前記図柄パネル体６１には、図６に示すように、前側に位置する透明な第１の導光パネル(第１の導光板)７１と、当該第１の導光パネル７１の裏側に重なるよう配設される透明な第２の導光パネル(第２の導光板)７２とが設けられている。前記第１の導光パネル７１は、上端部が左右方向(照明部９１の発光体基板１１０と平行な方向)に直線上に延在すると共に前記取付ベース６２に形成された突条部６４ａの内周縁に沿う外郭形状に形成された透明な平板状の部材であって、当該第１の導光パネル７１の前面外周部が取付ベース６２の取付基部６３および輪郭部６４の後面に当接するよう構成されている。すなわち、第１の導光パネル７１の上部前面が取付基部６３の後面に当接し、第１の導光パネル７１の左右側部から下部に至る外周前面が輪郭部６４の後面に当接して、取付ベース６２の開口を第１の導光パネル７１で塞ぐよう構成されている。また、前記第１の導光パネル７１には、前記取付ベース６２に形成された前記パネル固定部６４ｃと対応する位置に、当該パネル固定部６４ｃを挿通可能な第１嵌合凹部７１ａが夫々形成されている。ここで、前記パネル固定部６４ｃは、第１の導光パネル７１の後方へ突出するよう形成されており、各パネル固定部６４ｃを対応する第１嵌合凹部７１ａに嵌合した状態で挿通することで、当該取付ベース６２に対して第１の導光パネル７１が位置決めされるようになっている。
【００３９】
また、前記第２の導光パネル７２は、図６に示すように、前記第１の導光パネル７１の外郭形状と略整合する外郭形状に形成された透明な平板状の平板部７３と、当該平板部７３の外周端部から前方(第１の導光パネル７１)側に突出するよう形成された外周壁部７４とから構成されて、第１の導光パネル７１と第２の導光パネル７２とを重ね合わせた際に、外周壁部７４の前端部が第１の導光パネル７１の後面外周部に当接するようになっている。すなわち、前記第２の導光パネル７２の平板部７３は、前記第１の導光パネル７１と同様に、上端部が左右方向(照明部９１の発光体基板１１０と平行な方向)に直線上に延在すると共に前記取付ベース６２に形成された突条部６４ａの内周縁に沿う外郭形状に形成されており、取付ベース６２の開口を第２の導光パネル７２で塞ぐよう構成されている。また、前記第２の導光パネル７２には、前記取付ベース６２に形成された前記パネル固定部６４ｃと対応する位置に、当該パネル固定部６４ｃを挿通可能な第２嵌合凹部７３ａが夫々形成されている。すなわち、第１の導光パネル７１の各第１嵌合凹部７１ａに挿通した前記パネル固定部６４ｃを、前記第２の導光パネル７２の第２嵌合凹部７３ａに嵌合することで、当該取付ベース６２および第１の導光パネル７１に対して第２の導光パネル７２が位置決めされるようになっている。
【００４０】
また、前記第２の導光パネル７２の外周壁部７４は、前記平板部７３の左右の外周縁部から前方へ一定の突出高さで突出するよう形成されており、重ね合わせた第１の導光パネル７１と第２の導光パネル７２(平板部７３)とが平行になるよう構成されている。そして、前記第２の導光パネル７２の第２嵌合凹部７３ａに嵌合したパネル固定部６４ｃの後端部が、当該第２の導光パネル７２(平板部７３)の後面と略同一位置に位置するよう構成されており、当該パネル固定部６４ｃに形成したネジ孔に後方から鍔付きネジ８０を螺挿することで、前記取付ベース６２との間に図柄パネル体６１(第１および第２の導光パネル７１,７２)が挟持固定されるようになっている。ここで、前記図柄パネル体６１(第１および第２の導光パネル７１,７２)は、前記枠状装飾体５０における枠状基部５１の内周縁により形成される開口部５０ａよりも僅かに小さな形状に形成されており、当該図柄パネル体６１を取付ベース６２に取り付けた状態で、前記板状部材２１に形成された装着口２９ａの開口内側に図柄パネル体６１が位置するよう構成されている。具体的に実施例では、前記板状部材２１の装着口２９ａの開口内側に前記第２の導光パネル７２が位置し、当該板状部材２１の前面より前側に第１の導光パネル７１が位置するようになっている。
【００４１】
ここで、前記第１の導光パネル７１と第２の導光パネル７２(具体的には平板部７３)の裏面には、微小な凹凸を形成することで所要の図柄が描かれており、各導光パネル７１,７２の外周端面から内部に入射した光が図柄を表す微小凹凸部分で反射することで、該図柄が明輝されて前側から視認し得るよう構成される。この導光パネル７１,７２の図柄は、導光パネル７１,７２の透明性を損なわない程度の密度および大きさの凹凸により描かれており、各導光パネル７１,７２の外周端面から内部に入射していない状態で前面側から殆ど視認し得ないようになっている。更に、各導光パネル７１,７２の後方に重なった前記図柄表示装置１７の表示部１７ａの表示内容に前記各導光パネル７１,７２に描かれた図柄が紛れることで、遊前側から視認し難くなっている。また、第１および第２の導光パネル７１,７２に対して前面および後面から照射される光は前記図柄を表す微小凹凸部分で殆ど反射することなく透過して、該図柄を前側から殆ど視認し得ないよう構成される。すなわち、第１および第２の導光パネル７１,７２の図柄は、裏側に位置する前記図柄表示装置１７の表示部１７ａの光が照射されたときには浮き出るように表示されることなく、前記照明部９１から照射された光が外周端面から内部に導入されたときに前側から視認可能となって浮き出るように表示される。ここで、前記第１の導光パネル７１および第２の導光パネル７２の夫々には、異なる図柄が形成されており、第１の導光パネル７１の外周端面から内部に光が入射した場合と、第２の導光パネル７２の外周端面から内部に光が入射した場合とで異なる図柄が浮き出るように表示されるようになっている。なお、導光パネル７１,７２に形成する図柄としては、パチンコ機１０のモチーフとなるキャラクターに関連する図柄や、一般的な幾何学模様、その他の模様であってもよく、また模様に限らず文字等であってもよい。
【００４２】
また、前記導光パネル７１,７２に対する図柄の形成方法としては、レーザー彫刻方法等、各種の方法を用いることが可能である。例えば、印刷基材の表面に印刷によってインクの凹凸からなる印刷パターンを形成し、この印刷パターンを有する印刷基材を配置した成形金型を用いて透明パネルを成形し、得られた透明パネルから印刷基材および印刷パターンを剥離することで、インクによる凹凸の転写により形成された凹凸からなる図柄を表面に形成する方法を採用できる。また、フィルムの表面に、透明な紫外線硬化樹脂による転写用の突模様と、その凸模様に施した転写用の印刷インク層とを形成し、凸模様の印刷インク層をキャビティに向けて配置した金型を用いてインモールド成形により透明パネルを成形し、得られた透明パネルからフィルムを剥離することで、紫外線硬化樹脂による印刷インク層の転写により図柄を表面に形成する方法も採用可能である。
【００４３】
(アース板１３０について)
また、前記図柄パネル体６１は、図６、図８、図９(b)、図１３に示すように、当該図柄パネル体６１(導光パネル７１,７２)に帯電した静電気を除去するアース板１３０が取り付けられている。前記アース板１３０は、前記第１の導光パネル７１の後面に接触する第１の接触部１３０ａと、前記第２の導光パネル７２の後面に接触する第２の接触部１３０ｂと、当該第１の接触部１３０ａおよび第２の接触部１３０ｂに連設して外周壁部７４の外面に接触する接続部１３０ｃとを備えており、前記設置枠台にアース接続された電源装置(図示せず)から導出したアース線１３１が当該アース板１３０に接続されている。具体的には、前記アース板１３０は、銅板等の導電率の高い金属薄板を屈曲させて断面コ字状に形成されており、第２の導光パネル７２における外周壁部７４の外側からアース板１３０を嵌め込むことで、第１の導光パネル７１の後面に第１の接触部１３０ａが接触すると共に、第２の導光パネル７２の後面に第２の接触部１３０ｂが接触するようになっている。
【００４４】
また、前記アース板１３０は、前記取付ベース６２に形成されたパネル固定部６４ｃと第２の接触部１３０ｂが前後に重なるよう配置されると共に、当該第２の接触部１３０ｂにおいてパネル固定部６４ｃと対応する位置に、前後に貫通する通孔１３０ｄが形成されている。そして、導光パネル７１,７２を取付ベース６２の固定に用いられる鍔付きネジネジを、第２の接触部１３０ｂの後方から挿通してパネル固定部６４ｃに螺挿することで、アース板１３０が図柄パネル体６１に取り付けられるようになっている。なお、アース線１３１の端部には、鍔付きネジネジを挿通可能なリング部１３１ａが設けられており、リング部１３１ａに挿通した鍔付きネジ８０をパネル固定部６４ｃに螺挿することで、アース線１３１がアース板１３０(第２の接触部１３０ｂ)に接触した状態で固定されるようになっている。前記装飾カバー９２(後カバー体９７の後面被覆部９８および後壁部１００)に係止部１３５(図８参照)が形成されており、前記アース線１３１が導光パネル７１,７２の後方に重ならないように係止部１３５に係止されている。
【００４５】
(照明部９１について)
前記照明部９１は、図６、図７、図９に示すように、前記取付ベース６２の上部に固定されて光の取捨により発光する発光部を有する非光透過性の装飾カバー９２と、当該装飾カバー９２に配設されて前記図柄パネル体６１(第１および第２の導光パネル７１,７２)の上端部(外周端面)に対向する発光体基板１１０と、該発光体基板１１０に配設されて図柄パネル体６１(第１および第２の導光パネル７１,７２)の外周端面に向けて光を照射するパネル発光体１１１,１１２(図柄発光体)と、当該発光体基板１１０に配設されて装飾カバー９２に向けて光を照射するカバー発光体１１３(装飾発光体)とを備えている。すなわち、前記照明部９１のパネル発光体１１１,１１２を発光させることで、前記図柄パネル体６１(第１および第２の導光パネル７１,７２)にけ遺精された図柄が浮き上がるよう表示されて前側から視認可能となると共に、カバー発光体１１３を発光させることで、前記装飾カバー９２の発光部が前側から視認可能に照明されるようになっている。
【００４６】
(装飾カバー９２)
前記装飾カバー９２は、図６、図９に示すように、前記取付ベース６２における取付基部６３の前面を覆う前カバー体９３と、当該前カバー体９３との間に前記図柄パネル体６１(第１および第２の導光パネル７１,７２)を挟持する後カバー体９７とから構成されて、当該前カバー体９３および後カバー体９７の間に画成される空間に前記発光体基板１１０が収容されるよう構成されている。前記前カバー体９３は、前記取付ベース６２の取付基部６３の前面全体を覆う前面被覆部９４と、該前面被覆部９４の上端部から後方へ延在する前側上壁部９５とから断面が略Ｌ字状をなすよう形成されており、当該前側上壁部９５の下面側に形成された複数の固定部(図示せず)に前記発光体基板１１０がネジ止めされている。そして、前記前面被覆部９４において左右の端部には、前記取付ベース６２(取付基部６３)に形成された嵌合筒部６３ａと対応する位置に、後方へ突出する嵌合突部９４ａが形成されており、当該嵌合突部９４ａを対応する嵌合筒部６３ａに前方から嵌合することで、当該取付ベース６２に対して前カバー体９３が位置決めされるようになっている。
【００４７】
前記後カバー体９７は、図６、図９に示すように、前記前カバー体９３の前面被覆部９４の後方に対向する横長矩形板状に形成された後面被覆部９８と、当該後面被覆部９８の上端から後方へ延出し、前記発光体基板１１０の下面に対向する下壁部９９と、当該下壁部９９の後端から上方へ延出し、発光体基板１１０の後端部を被覆する後壁部１００と、当該後壁部１００の後端部から前方へ延出する後側上壁部１０１とから形成されている。そして、前記後面被覆部９８の左右両端部において、前記前カバー体９３の嵌合突部９４ａと前後に整列する位置に、前後に貫通する通孔が形成されており、当該後面被覆部９８の通孔に後方から挿通したネジを嵌合突部９４ａのネジ孔に螺挿することで、前カバー体９３と後カバー体９７とが固定されるようになっている。前カバー体９３の前側上壁部９５の後端部と、後カバー体９７の後側上壁部１０１の前端部とが前後に整合するよう構成されており、当該前側上壁部９５および後側上壁部１０１により装飾カバー９２の上壁部を形成している。なお、前記後側上壁部１０１の前端部には、左右方向に離間する複数箇所(実施例では２カ所)に上方へ延出する固定突片１０２が形成されており、当該固定突片１０２に前後に貫通するよう形成された通孔に挿通したネジを、前記上部発光演出装置５８に形成した固定突部(図示省略)に螺挿することで、上部発光演出装置５８とパネル発光装置６０とが連結されるよう構成されている。
【００４８】
ここで、図９に示すように、前記前カバー体９３の前面被覆部９４と、後カバー体９７の後面被覆部９８とは、前記図柄パネル体６１の前後方向の厚み寸法だけ離間した位置で、平行に延在するよう設けられている。すなわち、前記取付ベース６２(取付基部６３)の前面から前記第２の導光パネル７２の後面までの離間間隔だけ前記前面被覆部９４と後面被覆部９８とが離間するよう構成されて、取付基部６３の前面に前面被覆部９４が当接すると共に、第２の導光パネル７２の後面に後面被覆部９８が当接するようになっている。そして、前記発光体基板１１０に設けられたパネル発光体１１１,１１２が、前記前面被覆部９４および後面被覆部９８により形成される開口上方に位置するよう配置される。
【００４９】
また、図９に示すように、前記装飾カバー９２には、前記発光体基板１１０における前記カバー発光体１１３の配設位置に対応した位置に、当該カバー発光体１１３を収容する発光体収容部１０３が形成されている。前記発光体収容部１０３は、前記前カバー体９３における前面被覆部９４の後面側において前記前側上壁部９５の下面に連設すると共に下方へ開口した箱状に形成されており、前記発光体基板１１０に配設されたカバー発光体１１３が下方開口を介して発光体収容部１０３の内部に収容されるようになっている。そして、前記装飾カバー９２(前カバー体９３)の前面被覆部９４には、前記発光体収容部１０３の形成位置に対応して、前後に貫通する発光窓部１０３ａが形成されており、発光体収容部１０３に収容したカバー発光体１１３の光が発光窓部１０３ａを介して前方へ照射されるようになっている。また、前記発光窓部１０３ａは、前記前面被覆部９４の前面に貼付された光透過性の装飾シート１０４で塞がれるよう構成されており、前記発光体収容部１０３に収容されたカバー発光体１１３を発光させることで、発光窓部１０３ａを介して装飾シート１０４が発光するよう構成されている。すなわち、実施例では、前記前面被覆部９４に開設した発光窓部１０３ａおよび前記装飾シート１０４により、光の照射により発光する前記発光部が形成されている。なお、前記前カバー体９３には、前記カバー発光体１１３の配設数(実施例では２つ)と同数の発光体収容部１０３が左右横並びに設けられており、各カバー発光体１１３を発光体収容部１０３に個別に収容してある。
【００５０】
(発光体基板１１０について)
前記発光体基板１１０は、図９、図１１に示すように、前記図柄パネル体６１において左右方向に直線状に延在する上端部(外周端面)の全長に亘って対向する横長矩形状に形成され、実装面を上下に向けた姿勢で前記装飾カバー９２に取り付けられている。そして、前記発光体基板１１０の下面(図柄パネル体６１の上端部と対向する対向面)に、図柄パネル体６１へ向けて光を照射する前記パネル発光体１１１,１１２が配設されると共に、当該発光体基板１１０の上面(図柄パネル体６１との対向面の反対側の面)に、前記装飾カバー９２の発光窓部１０３ａへ向けて光を照射する装飾発光体が配設されている。なお、実施例では、パネル発光体１１１,１１２および装飾発光体として表面実装型のＬＥＤが設けられているが、これに限られるものではなく、従来公知の発光体を採用可能であることは当然である。
【００５１】
(パネル発光体１１１,１１２)
前記発光体基板１１０には、図９、図１１に示すように、前記パネル発光体１１１,１１２として、前記第１の導光パネル７１の上端部(外周端面)に対向すると共に当該第１の導光パネル７１に沿って直線状に列をなすよう配設された複数の第１のパネル発光体１１１と、前記第２の導光パネル７２の上端部(外周端面)に対向すると共に当該第２の導光パネル７２に沿って直線状に列をなすよう配設された複数の第２のパネル発光体１１２とが前後２列で設けられている。そして、第１のパネル発光体１１１を発光することにより、図柄表示装置１７の表示部１７ａの前側において第１の導光パネル７１に形成された図柄が前側から視認可能に明輝されると共に、第２のパネル発光体１１２を発光することにより、図柄表示装置１７の表示部１７ａの前側において第２の導光パネル７２に形成された図柄が前側から視認可能に明輝されるようになっている。
【００５２】
具体的に、前記複数の第１のパネル発光体１１１は、図１１(a)に示すように、前記発光体基板１１０に対して、前記第１の導光パネル７１の上端部に沿って一定間隔で離間するよう一列に設けられており、当該複数の第１のパネル発光体１１１を同時に発光させて第１の導光パネル７１に形成された図柄の全体を前側から視認可能に明輝させ得るようになっている。また、前記複数の第２のパネル発光体１１２は、図１１(b)に示すように、前記発光体基板１１０に対して、前記第２の導光パネル７２の上端部に沿って一定間隔で離間するよう一列に設けられた発光体列群Ｒ１〜Ｒ３を形成しており、当該発光体列群Ｒ１〜Ｒ３が第２の導光パネル７２の上端部に沿って離間するよう発光体基板１１０に複数設けられている。すなわち、各発光体列群Ｒ１〜Ｒ３列をなす第２のパネル発光体１１２を発光させることで、第２の導光パネル７２に形成された図柄の内で前側から視認可能に明輝させる領域を異ならせている。実施例の発光体基板１１０には、左右方向に離間した３つの発光体列群Ｒ１〜Ｒ３をなすよう前記第２のパネル発光体１１２が設けられている。そして、各発光体列群Ｒ１〜Ｒ３を形成する第２のパネル発光体１１２の数は、発光体列群Ｒ１〜Ｒ３毎に異なるよう設定されており、発光させる発光体列群Ｒ１〜Ｒ３によって第２の導光パネル７２に形成された図柄が前側から視認可能に明輝される範囲が異なるよう構成されている。なお、左側の発光体列群を第１の発光体列群Ｒ１と指称し、右側の発光体列群を第２の発光体列群Ｒ２と指称し、当該第１および第２の発光体列群Ｒ１,Ｒ２の間の発光体列群を第３の発光体列群Ｒ３と指称する場合がある。
【００５３】
ここで、第１の発光体列群Ｒ１を構成する第２のパネル発光体１１２を発光させた際には、前記第２の導光パネル７２に形成された図柄の内で、前記図柄表示装置１７の表示部１７ａにおいて左側の図柄表示部の飾図の変動表示領域の前側に位置する図柄を明輝され、前記第２の発光体列群Ｒ２を構成する第２のパネル発光体１１２を発光させた際には、当該表示部１７ａにおいて右側の図柄表示部の飾図の変動表示領域の前側に位置する図柄が明輝され、前記第３の発光体列群Ｒ３を構成する第２のパネル発光体１１２を発光させた際には、当該表示部１７ａにおいて中側の図柄表示部の飾図の変動表示領域の前側に位置する図柄が明輝されるようになっている。すなわち、第１〜第３の発光体列群Ｒ１〜Ｒ３毎に第２のパネル発光体１１２を発光させることで、図柄表示装置１７の表示部１７ａで表示される左図柄、右図柄および中図柄の各図柄の変動表示領域での表示と連動した演出を実行し得ると共に、第１〜第３の発光体列群Ｒ１〜Ｒ３を形成する第２のパネル発光体１１２の全てを同時に発光させることで、第２の導光パネル７２に形成された図柄の全体を前側から視認可能に明輝させ得るよう構成されている。
【００５４】
(カバー発光体１１３)
前記発光体基板１１０の上面には、図７、図９に示すように、前端部において左側方に偏った位置に、前方へ向けて光を照射する姿勢で複数(実施例では２つ)のカバー発光体(装飾発光体)１１３が設けられている。前記各カバー発光体１１３は、左右方向に隣接して位置するよう設けられて、前記装飾カバー９２に形成された前記２つの発光体収容部１０３に個別に収容されて、各カバー発光体１１３を発光した際に、対応する発光体収容部１０３の発光窓部１０３ａ(装飾シート１０４)に光を照射するようになっている。
【００５５】
(仕切り板１１６)
図６、図７、図９、図１１に示すように、前記第１のパネル発光体１１１の列と、第２のパネル発光体１１２の列との間には、非光透過性の仕切り板１１６が配設されている。前記仕切り板１１６は、前記発光体基板１１０の左右方向の全幅に亘って延在する横長帯板状に形成されており、当該仕切り板１１６の上端部が発光体基板１１０の下面に当接すると共に、仕切り板１１６の下端部が前記第１の導光パネル７１および第２の導光パネル７２の間に位置している。すなわち、前記照明部９１は、前記第１のパネル発光体１１１の配設領域と、第２のパネル発光体１１２の配設領域とが仕切り板１１６により前後に仕切られて、第１のパネル発光体１１１の光が第２の導光パネル７２に照射されるのを防止すると共に、第２のパネル発光体１１２の光が第１の導光パネル７１に照射されるのを防止している。従って、第１のパネル発光体１１１を発光させた際には、対応する第１の導光パネル７１に形成された図柄のみを前側から視認可能に明輝し得ると共に、第２のパネル発光体１１２を発光させた際には、対応する第２の導光パネル７２に形成された図柄のみを前側から視認可能に明輝し得るようになっている。また、前記仕切り板１１６の下端部には、前方へ延出して第１の導光パネル７１の後面に当接する前側遮光部１１６ａと、後方へ延出して第２の導光パネル７２の前面に当接する後側遮光部１１６ｂとが当該仕切り板１１６の左右全長に亘って設けられている。すなわち、前側遮光部１１６ａおよび後側遮光部１１６ｂの夫々が対応する第１および第２の導光パネル７１,７２に当接させることで、第１および第２のパネル発光体１１１,１１２の光が対応しない導光パネル７１,７２に入射するのを効果的に防いでいる。
【００５６】
ここで、図７に示すように前記発光体基板１１０には、前記第１のパネル発光体１１１の列と、第２のパネル発光体１１２の列との間に、上下に貫通する複数(実施例では２つ)の嵌合孔１１４が形成されると共に、前記仕切り板１１６の上端部には、当該発光体基板１１０の嵌合孔１１４の形成位置に対応して、当該嵌合孔１１４に嵌合可能な複数(実施例では２つ)の突出部１１７が上方へ向けて突出するよう形成されている。また、前記仕切り板１１６の左右両端部には、前記各突出部１１７を対応の嵌合孔１１４に下方から差し込んだ状態において前記取付ベース６２(取付基部６３)に形成された仕切り板固定部６３ｂと前後に整列する位置に、前後に貫通する通孔１１６ｃが形成されており、当該通孔１１６ｃに後方から挿通したネジを仕切り板固定部６３ｂのネジ孔に螺挿することで、当該仕切り板１１６が固定されるようになっている。すなわち、前記各突出部１１７を対応の嵌合孔１１４に下方から差し込んで、前記仕切り板１１６の上端部を発光体基板１１０における第１および第２のパネル発光体１１１,１１２の実装面に当接させた状態で位置決め保持されている。なお、前記嵌合孔１１４は、記仕切り板１１６の突出部１１７が嵌合し得るよう少なくとも下方(図柄パネル体６１側)に開口していればよい。
【００５７】
(レンズ部材１２１,１２２)
図７、図１１に示すように、前記照明部９１は、前記第１のパネル発光体１１１と第１の導光パネル７１との間および第２のパネル発光体１１２と第２の導光パネル７２との間の夫々に、当該各導光パネル７１,７２の上端部(外周面)に沿って延在するレンズ部材１２１,１２２が配設されている。具体的に、前記レンズ部材１２１,１２２は、前記第１の導光パネル７１および第１のパネル発光体１１１の間に配設される第１のレンズ部材１２１と、前記第２の導光パネル７２および第２のパネル発光体１１２の間に配設される第２のレンズ部材１２２とから構成され、第１のパネル発光体１１１から照射されて第１のレンズ部材１２１を透過した光が第１の導光パネル７１の上端部から入射し、第２のパネル発光体１１２から照射されて第２のレンズ部材１２２を透過した光が第２の導光パネル７２の上端部から入射するようになっている。ここで、第１のレンズ部材１２１および第２のレンズ部材１２２は、基本的に同一の構成とされることから、両部材について同じ構成については同一の符号を付して説明する。
【００５８】
前記第１および第２のレンズ部材１２１,１２２は、図１２に示すように、各レンズ部材１２１,１２２に対応した各パネル発光体１１１,１１２の前側位置に、対応の導光パネル７１,７２側(実施例では下側)へ膨出する下側凸レンズ部(凸レンズ部)１２３が複数形成されている。すなわち、第１および第２のレンズ部材１２１,１２２の下面は、対応のパネル発光体１１１,１１２の数だけ下側凸レンズ部１２３が左右方向に連続した波形状に形成されて、各パネル発光体１１１,１１２の光が対応する下側凸レンズ部１２３を個別に透過するようになっている。すなわち、各パネル発光体１１１,１１２から照射される光を下側凸レンズ部１２３に透過させることで、光の直進性を高めて、対応する導光パネル７１,７２において発光体基板１１０から離間する端部まで光が届くよう構成されている。
【００５９】
また、前記第１および第２のレンズ部材１２１,１２２は、図１２に示すように、各レンズ部材１２１,１２２に対応した各パネル発光体１１１,１１２の前側位置に、当該パネル発光体１１１,１１２側(実施例では上側)へ膨出する上側凸レンズ部１２４が複数形成されている。すなわち、第１および第２のレンズ部材１２１,１２２の上面は、対応のパネル発光体１１１,１１２の数だけ上側凸レンズ部１２４が左右方向に連続した波形状に形成されて、各パネル発光体１１１,１１２の光が対応する上側凸レンズ部１２４を個別に透過するようになっている。すなわち、各パネル発光体１１１,１１２から照射される光が上側凸レンズ部１２４および上側凸レンズ部１２４を透過することで、光の直進性が一層高められて、対応する導光パネル７１,７２において発光体基板１１０から離間する端部まで光が届くよう構成されている。ここで、前記上側凸レンズ部１２４は、下側凸レンズ部１２３と比べて突出寸法が小さく設定されている。
【００６０】
ここで、実施例では、前記第１のレンズ部材１２１は、第１のパネル発光体１１１の列全体を覆う単一の横長部材に形成されている。また、前記第２のレンズ部材１２２は、前記第２のパネル発光体１１２が形成する発光体列群Ｒ１〜Ｒ３毎に独立した別部材として形成されている。すなわち、発光体列群Ｒ１〜Ｒ３毎に第２のパネル発光体１１２を発光した際に、当該発光させた第２のパネル発光体１１２が含まれる発光体列群Ｒ１〜Ｒ３と別の発光体列群Ｒ１〜Ｒ３に対応した第２のレンズ部材１２２を透過しないようになっており、発光体列群Ｒ１〜Ｒ３毎に光の照射範囲が定まるよう構成されている。なお、複数の第２のレンズ部材１２２の夫々には、対応する発光体列群Ｒ１〜Ｒ３を構成する第２のパネル発光体１１２の数だけ前記下側凸レンズ部１２３および上側凸レンズ部１２４が形成される。また、図１１に示すように、前記仕切り板１１６の後面には、前記３つの第２のレンズ部材１２２の間に突出する画壁部１１８が形成されており、第２のレンズ部材１２２に照射された光が隣接する第２のレンズ部材１２２に入射しないよう構成されている。すなわち、この画壁部１１８は、上下方向に延在すると共に前記各第２のレンズ部材１２２よりも後方まで突出するよう形成されて、各第２のレンズ部材１２２の配設領域を区画するようになっている。
【００６１】
また、図９に示すように、前記第１および第２のレンズ部材１２１,１２２の前後の面は、前記パネル発光体１１１,１１２側の端部(上側凸レンズ部１２４の端部となる上端部)から導光パネル７１,７２側の端部(下側凸レンズ部１２３の端部となる下端部)に向かうにつれて、各レンズ部材１２１,１２２の前後の厚みが薄くなるよう傾斜状に形成されている。そして、各レンズ部材１２１,１２２における導光パネル７１,７２側の端部の前後の厚みは、導光パネル７１,７２の厚みよりも僅かに薄くなるよう設定されている。すなわち、各レンズ部材１２１,１２２を透過した光を外部に漏らすことなく対応の導光パネル７１,７２に入射させ得るよう構成されており、当該光により導光パネル７１,７２に形成された図柄を明瞭に明輝し得るようになっている。
【００６２】
そして、図７、図１１に示すように、前記第１および第２のレンズ部材１２１,１２２には、左右両端部から外方へ突出する位置決め突部１２５が夫々形成されており、各レンズ部材１２１,１２２の位置決め突部１２５を対応する位置決め部１１９に係合させることで、当該各レンズ部材１２１,１２２の上端部(上側凸レンズ部１２４)がパネル発光体１１１,１１２の下方に対向する所定位置に位置決めされるようになっている。ここで、実施例では、前記第１のレンズ部材１２１に設けられた位置決め突部１２５が嵌合する位置決め部６５は、前記取付ベース６２における取付基部６３の後面に形成されると共に、前記第２のレンズ部材１２２に設けられた位置決め突部１２５が嵌合する位置決め部１１９は、前記仕切り板１１６の後面に形成されている。前記位置決め部６５,１１９は、位置決めするレンズ部材１２１,１２２を左右に挟む位置に対向するよう設けられて、相互に対向する側方および後方に開口する断面コ字状に形成されている。すなわち、前記取付ベース６２には、１つの第１のレンズ部材１２１を位置決めする前記取付基部６３の両端部に一対の位置決め部６５が形成されて、当該一対の位置決め部６５に対して第１のレンズ部材１２１の左右両端部に形成された位置決め突部１２５を後方から嵌め込むことにより、当該第１のレンズ部材１２１が位置決めされるようになっている。同様に、前記仕切り板１１６には、３つの第２のレンズ部材１２２を位置決めする３対の位置決め部１１９が形成されて、対になる位置決め部１１９毎に対して第２のレンズ部材１２２の左右両端部に形成された位置決め突部１２５を後方から嵌め込むことにより、当該第２のレンズ部材１２２の夫々が位置決めされるようになっている。
【００６３】
(実施例の作用)
次に、前述のように構成された実施例に係るパチンコ機１０の作用につき説明する。
【００６４】
実施例のパチンコ機１０は、遊技領域２２の内縁を画成する枠状装飾体５０に形成された開口部５０ａの開口内側にパネル発光装置６０が配設されて、図柄変動演出が行われる図柄表示装置１７の表示部１７ａの前方に当該パネル発光装置６０が重なるよう構成されている。このパネル発光装置６０は、図柄パネル体６１(第１および第２の導光パネル７１,７２)が図柄表示装置１７の表示部１７ａの前方に重なるように備えており、当該パネル発光装置６０のパネル発光体１１１,１１２を発光することで、図柄パネル体６１(第１および第２の導光パネル７１,７２)に形成された図柄を明輝させて前側から視認し得るよう表示したり、パネル発光体１１１,１１２を消灯することで、図柄パネル体６１(第１および第２の導光パネル７１,７２)に形成された図柄を前側から視認し得ないように非表示の状態にすることができる。すなわち、図柄表示装置１７の表示部１７ａの前方にパネル発光装置６０を配置したことで、当該表示部１７ａでの表示内容に重ね合わせるように図柄パネル体６１(第１および第２の導光パネル７１,７２)に形成された図形を表示させて、意外性の高い発光演出を行うことができる。また、図柄表示装置１７の表示部１７ａで行われる図柄変動演出とは表示方法が異なった見え方の違う導光パネル７１,７２の図柄が図柄変動演出に重なり合わせることで、興趣のある遊技演出を実現できる。
【００６５】
また、前記パネル発光装置６０は、図柄表示装置１７の表示部１７ａと重なるように複数(２つ)の導光パネル７１,７２を備えているから、表示部１７ａで表示される図柄変動演出に異なる複数の図柄を重ねて表示することができ、演出の多様性を向上し得る。また、パネル発光装置６０の第１および第２のパネル発光体１１１,１１２の発光および消灯を切り替えるだけで、図柄パネル体６１(第１および第２の導光パネル７１,７２)の図形を前記表示部１７ａに表示される図柄変動演出に重ね合わせることができるから、図柄表示装置１７の表示制御を複雑にすることなく演出の多様化を図り得る。また、前記図柄パネル体６１(第１および第２の導光パネル７１,７２)は、図柄表示装置１７の表示部１７ａから前方に離間した位置に配置されているから、第１および第２のパネル発光体１１１,１１２を消灯した状態で各導光パネル７１,７２に形成された図柄を一段と目立ち難くすることができ、当該導光パネル７１,７２に形成された図柄が表示部１７ａで表示される演出の邪魔になることはない。更に、前記第２のパネル発光体１１２を複数(実施例では３つ)の発光体列群Ｒ１〜Ｒ３に分割して、各発光体列群Ｒ１〜Ｒ３毎に第２の導光パネル７２の異なる領域に光を照射し得るよう構成したことで、図柄変動演出に重ね合わせる図柄のバリエーションを増やすことができる。
【００６６】
また、前記パネル発光装置６０は、前記第１および第２のパネル発光体１１１,１１２が配設される発光体基板１１０に、当該パネル発光体１１１,１１２とは別にカバー発光体１１３を配設して、当該第１および第２のパネル発光体１１１,１１２の発光により対応の導光パネル７１,７２に形成された図形を前側から視認可能に明輝させるだけでなく、カバー発光体１１３の発光により装飾カバー９２の発光部(発光窓部１０３ａおよび装飾シート１０４)を前側から視認可能に明輝させるよう構成してある。これにより、第１および第２のパネル発光体１１１,１１２の点灯・消灯の切り替えに応じて図柄の表示・非表示を切り替えるだけでなく、装飾カバー９２の発光部の発光による発光演出を合わせて行うことができるから、バリエーションの豊かな発光演出を実現することができる。
【００６７】
また、パネル発光体１１１,１１２およびカバー発光体１１３は、発光体基板１１０における上下(表裏)の異なる面に配設されているから、発光体基板１１０そのものを光を遮る遮光板として機能させることができる。すなわち、パネル発光体１１１,１１２の発光により装飾カバー９２の発光部が明輝されたり、カバー発光体１１３の発光により導光部材の図柄が表示されるといった不都合を防止でき、パネル発光体１１１,１１２およびカバー発光体１１３の夫々を利用して所定の発光演出を確実に実行することができる。このように、実施例のパチンコ機１０では、パネル発光体１１１,１１２の点灯・消灯の切り替えに応じて導光パネル７１,７２に形成した図柄の表示・非表示による発光演出と、カバー発光体１１３の発光による装飾カバー９２の発光部の発光による発光演出とを組み合わせた多彩な発光演出を実現し得る。
【００６８】
また、前記パネル発光装置６０(図柄パネル体６１)は、前記第１の導光パネル７１に接触する第１の接触部１３０ａおよび前記第２の導光パネル７２に接触する第２の接触部１３０ｂを有するアース板１３０を備えており、当該アース板１３０をアース部に電気的に接続させるよう構成したから、図柄表示装置１７の表示部１７ａの前方に重なるように位置することで帯電し易くなる両導光パネル７１,７２の静電気を効率的に除去することができる。すなわち、導光パネル７１,７２に帯電した静電気を除去し得るようにしたことで、ノイズによる動作不良が発生するのを防止できる。
【００６９】
また、実施例のパネル発光装置６０は、第１のパネル発光体１１１の列に対応して第１のレンズ部材１２１が配設され、第２のパネル発光体１１２の列に対応して第２のレンズ部材１２２が配設されている。この第１および第２のレンズ部材１２１,１２２には、各対応の導光パネル７１,７２側に膨出する下側凸レンズ部１２３が、パネル発光体１１１,１１２の個々に対応して設けられているから、各パネル発光体１１１,１１２を発光させた際に、レンズ部材１２１,１２２を透過して導光パネル７１,７２に入射される光の直進性を高めることができる。このため、各導光パネル７１,７２の上端部(外周面)から内部に導入されたパネル発光体１１１,１１２の光を、当該導光パネル７１,７２の下端部側まで効果的に届かせることができ、導光パネル７１,７２に形成された図柄全体を明瞭に明輝させて、図柄が浮き上がるように表示させることが可能になる。また、前記各レンズ部材１２１,１２２の下側凸レンズ部１２３により光の直進性を高めることで、当該導光パネル７１,７２の図柄を形成する微少な凹凸に対して照射される光の強度を高めることができるから、導光パネル７１,７２の図柄をより明瞭に明輝させて浮かび上がらせることができる。このため、導光パネル７１,７２の後方側で重なった状態で行われる図柄表示装置１７の演出と紛れにくい図柄を、各パネル発光体１１１,１１２の光により導光パネル７１,７２に視認可能に表示させて遊技者に知覚させることができるから、パネル発光体１１１,１１２に形成した図形の表示・非表示の切り替わりによる演出効果を高めることができる。
【００７０】
また、前記第１および第２のレンズ部材１２１,１２２には、前記下側凸レンズ部１２３を形成するだけでなく、対向するパネル発光体１１１,１１２側に膨出する上側凸レンズ部１２４が各列を構成するパネル発光体１１１,１１２の個々に対応して設けられているから、各パネル発光体１１１,１１２を発光させた際に、対応する導光パネル７１,７２に照射される光の直進性をより一層高めることができる。従って、第１および第２のレンズ部材１２１,１２２を形成することで、下側凸レンズ部１２３だけを形成する場合よりも、各導光パネル７１,７２に形成された図柄を明瞭に明輝させて、図柄が浮き上がるように表示させることが可能になる。同様に、第１および第２のレンズ部材１２１,１２２を上端から下端に向けて前後の厚み寸法が小さくなるよう構成することで、対応する導光パネル７１,７２に照射される光の直進性を高めて図形の表示・非表示の切り替わりによる演出効果の向上を図り得る。
【００７１】
また、第1のパネル発光体１１１,１１２の列と第２のパネル発光体１１２の列との間に非光透過性の仕切り板１１６を配設したから、第1のパネル発光体１１１,１１２の光を対応する第１の導光パネル７１の上端部のみに入射させ得ると共に、第２のパネル発光体１１２の光を対応する第２の導光パネル７２の上端部のみに入射させ得る。すなわち、第1のパネル発光体１１１,１１２の列と第２のパネル発光体１１２の列との間に配設した仕切り板１１６により、第1および第２のパネル発光体１１２の点灯・消灯を切り替えた際に対応していない導光パネル７１,７２の図柄の表示・非表示が影響を受けるのを防ぐことができるから、各パネル発光体１１１,１１２やカバー発光体１１３を利用して所定の発光演出を実行することができる。
【００７２】
そして、仕切り板１１６に形成した複数の突出部１１７を、発光体基板１１０に形成した複数の嵌合孔１１４に差し込むよう構成して、当該仕切り板１１６の上端部を発光体基板１１０に当接させたことで、第1のパネル発光体１１１,１１２による光の照射領域と第２のパネル発光体１１２による光の照射領域とを確実に区画することができる。また、発光体基板１１０に形成した嵌合孔１１４に仕切り板１１６の突出部１１７を差し込むことで、発光体基板１１０に対して仕切り板１１６が位置ずれするのを効果的に防ぐことができ、第１および第２の導光パネル７１,７２の上端部(外周面)に対して、対応する第1および第２のパネル発光体１１２のみが対向する状態を安定して維持することができる。
【００７３】
(変更例)
なお、遊技機としては、実施例に示したものに限らず、種々の構成を採用可能である。
【００７４】
(１)  実施例では、遊技領域が形成された遊技領域形成部材(板状部材)に形成した嵌合部(装着口)に枠状装飾体を配設して、当該枠状装飾体の開口内側にパネル発光装置の導光板(導光パネル)を位置させることで、当該枠状装飾体を介して導光板(導光パネル)が嵌合部(装着口)の開口内側に配設されるよう構成したが、当該枠状装飾体を介することなく導光板を嵌合部の開口内側に直接配設するようにしてもよい。また、枠状装飾体とは別の部材を遊技領域形成部材(板状部材)に形成した嵌合部(装着口)に配設して、当該別部材の開口部に導光板(導光パネル)を位置させる構成であってもよい。
(２)  実施例では、前後に重なる２つの導光板(導光パネル)の１つを嵌合部の開口内側に位置させたが、全ての導光板(導光パネル)を嵌合部の開口内側に位置させてもよい。
(３)  実施例の導光板(導光パネル)は、図柄表示装置の表示部の前面全体が重なる大きさで形成したが、図柄表示装置の表示部の一部と導光板(導光パネル)とが重なるようにしてもよい。
(４)  実施例では、前後に重なる２つの導光板(導光パネル)の外郭形状が略整合するよう形成したが、前後に重なる導光板(導光パネル)の外郭形状を異ならせてもよく、任意の形状に形成することができる。前後に重なる導光板(導光パネル)の外郭形状を略整合する形状に形成して、枠状装飾体の開口部(設置開口)を塞ぐことで、当該導光板(導光パネル)の存在自体を遊技者に知覚され難くし得る利点がある。
(５)  実施例では、導光板(導光パネル)の上端部に沿って延在するよう発光体基板を配設したが、当該導光板(導光パネル)の左右側端部や下端部に沿って延在するよう発光体基板をも蹴るようにしてもよい。また、発光体基板が対向する導光板(導光パネル)の端部(外周面)は直線状に延在させる必要はなく、当該端部(外周面)を曲線状に形成することもできる。例えば、発光体基板を厚み方向に可撓変形可能なフレキシブル基板を採用して、曲線状に形成した導光板(導光パネル)の端部(外周面)に沿って延在するよう発光体基板を配設することが可能である。
(６)  実施例の発光体基板には、前後２列の関係で図柄発光体(第１のパネル発光体および第２のパネル発光体)を配設したが、これに限られるものではなく、図柄発光体を１列のみ設けるようにしてもよく、また３列以上の図柄発光体を設けることもできる。同様に、装飾発光体(カバー発光体)の配設数に関しても、任意に変更することができる。
(７)  実施例のレンズ部材は、上下に凸レンズ部を備えるよう構成したが、少なくとも一方の凸レンズ部を備える構成とすることができ、導光板側へ膨出する凸レンズ部のみを備える構成であってもよい。
(８)  実施例では、遊技領域が形成された遊技領域形成部材(板状部材)に形成した嵌合部(装着口)に枠状装飾体を配設して、当該枠状装飾体の開口内側にパネル発光装置の導光板(導光パネル)を位置させるよう構成したが、図柄表示装置の表示部の前方に重なるように導光板(導光パネル)が位置する構成であれば、遊技領域形成部材(板状部材)に導光板(導光パネル)を配設する構成でなくともよい。すなわち、導光板は、図柄表示装置の表示部の前方に位置するよう配設されて当該図柄表示装置の表示部の前方に重なるように位置し、外周面から内部に導入された光が反射することで前側から視認可能となる図柄が形成された構成とすることができる。
(９)  実施例では、遊技機としてパチンコ機を例示して説明したが、これに限られるものではなく、アレンジボール機やピンボール機等の各種遊技機を採用し得る。すなわち、遊技領域が形成された遊技領域形成部材と、遊技領域形成部材の裏側に配設された空間画成部材と、空間画成部材の裏側に配設された図柄表示装置とを備えるよう構成された遊技機に対して好適に採用可能である。
【００７５】
(１０)  遊技機としては、遊技媒体としての遊技球(パチンコ球)を遊技領域形成部材の遊技領域に打ち出して遊技を行う遊技機に限らず、遊技媒体としての遊技球またはメダルを予め定めた数の消費(投入)することで１回の遊技が実行されるスロットマシン機(回胴式遊技機)に対して適用することも可能である。すなわち、スロットマシン機に設けられた演出表示を表示可能な表示手段の表示部の前方に重なるように、外周面から内部に導入された光が反射することで前側から視認可能となる図柄が形成された導光板(導光パネル)を配設すると共に、導光板の外周面に沿って延在する発光体基板の前側を覆うよう装飾カバーを配設して、当該発光体基板における導光板との対向面に、当該導光板の外周面へ向けて光を照射する図柄発光体を当該外周面に沿って列をなすよう配設し、発光体基板における導光板との対向面の反対側の面に、装飾カバーの発光部へ向けて光を照射する装飾発光体を配設するようにしてもよい。
【００７６】
ここで、表示手段の前側に導光板が配設されるスロットマシン機の具体的構成について説明する。スロットマシン機は、前方へ開口する箱状の筐体に、外周部に識別情報としての複数の図柄が表示された複数(例えば３つ)のリール(回転体)を有する表示装置が収容されると共に、当該筐体の前方開口を塞ぐ前扉が開閉可能に備えられており、当該前扉の表示窓部を介して回転体を前側から視認し得るよう構成されている。また、スロットマシン機の前面(前扉の前面)には、開始操作手段としてのスタートレバーが設けられて、当該スタートレバーを遊技者が傾倒操作することを契機に各回転体が回転して図柄が変動開始すると共に、遊技利益を付与するか否か関連した当否判定が行われるようになっている。そして、スロットマシン機の前面(前扉の前面)に、停止操作手段としてのストップボタンが各回転体に対応して設けられており、当該ストップボタンを遊技者が押圧操作することを契機として当否判定に応じた図柄の組み合わせが表示窓部に表示されるよう各回転体の回転が停止されて、全ての回転体の回転が停止したときに導出された表示結果(有効ライン上の図柄の並び順序等)に従って、当該図柄変動に伴う演出の終了後に各種の遊技利益が付与されるよう構成されている。なお、当否判定の結果として付与される遊技利益としては、小役(役の種類毎に定められた数の遊技媒体が払い出される利益を遊技者に与える役)、ボーナス(次のゲームから遊技者にとって有利な遊技状態へ移行されるという利益を遊技者に与える遊技状態)等がある。
【００７７】
また、スロットマシン機には、スタートレバーの操作に伴って行われる前記当否判定の結果に応じた演出を表示可能な演出表示装置が、前記表示窓部の上方や下方あるいは左右側方に位置するよう前記筐体や前扉に配設されたものがある。このような演出表示手段を備えたスロットマシン機にあっては、当該演出表示手段の表示部の前方に重なるように、外周面から内部に導入された光が反射することで前側から視認可能となる図柄が形成された導光板(導光パネル)を配設すると共に、導光板の外周面に沿って延在する発光体基板の前側を覆うよう装飾カバーを配設して、当該発光体基板における導光板との対向面に、当該導光板の外周面へ向けて光を照射する図柄発光体を当該外周面に沿って列をなすよう配設し、発光体基板における導光板との対向面の反対側の面に、装飾カバーの発光部へ向けて光を照射する装飾発光体を配設するようにしてもよい。すなわち、導光板(導光パネル)と表示部が前後に重なる表示手段としては、図柄変動演出を行う回転体であってもよく、また当該回転体とは別に設けた演出表示用の表示手段であってもよい。
【００７８】
ここで、前記導光板(導光パネル)は、当該導光板(導光パネル)の前側に位置するよう前記筐体や前扉に導光板支持部材を配設し、当該導光板支持部材に前方または後方へ開口する嵌合部を形成することで、前述した遊技領域形成部材(板状部材)に形成した嵌合部に導光板を配設した実施例のパチンコ機と同様に構成することができる。また、導光板(導光パネル)を枠状体に取り付けて導光板支持部材の嵌合部に配設することも可能である。
【００７９】
本願には、例えば次のような技術的思想が含まれている。
(Ａ)  演出表示を表示可能な表示手段を備えた遊技機において、
前記表示手段の表示部の前方に位置するよう配設されて当該表示手段の表示部の前方に重なるように位置し、外周面から内部に導入された光が反射することで前側から視認可能となる図柄が形成された導光板と、
前記導光板の外周面との間に配設され、当該導光板の外周面に沿って延在する発光体基板と、
前記発光体基板の前側を覆うよう配設されると共に、光を透過可能な発光部を有する装飾カバーと、
前記発光体基板における前記導光板との対向面に、当該導光板の外周面に沿って列をなすよう配設され、当該外周面へ向けて光を照射する図柄発光体と、
前記発光体基板における前記導光板との対向面の反対側の面に配設され、前記装飾カバーの発光部へ向けて光を照射する装飾発光体とを備え、
前記図柄発光体を発光させることにより前記導光板に形成された図形が前側から視認可能に明輝されると共に、前記装飾発光体を発光させることにより前記装飾カバーの発光部が前側から視認可能に明輝されるよう構成されたことを要旨とする遊技機。
このように、図柄発光体および装飾発光体を発光体基板に配設して、図柄発光体の発光により導光板に形成された図形が前側から視認可能に明輝され、装飾発光体の発光により装飾カバーの発光部が前側から視認可能に明輝されるようにすることで、図柄発光体の点灯・消灯の切り替えに応じて図柄の表示・非表示を切り替えるだけでなく、装飾カバーの発光部の発光による発光演出を合わせて行うことができる。これにより、バリエーションの豊かな発光演出を実現することができる。このとき、図柄発光体および装飾発光体は、発光体基板における表裏の異なる面に配設されているから、光を遮る遮光板として発光体基板そのものを機能させて、図柄発光体の発光により装飾カバーの発光部が明輝されたり、装飾発光体の発光により導光部材の図柄が表示されるといった不都合を防止できるから、図柄発光体および装飾発光体を利用して所定の発光演出を実行することができる。また、表示手段の表示部の前方に重なるよう導光板が設けられているから、図柄発光体の発光に応じて、当該表示部で行われる演出に重ね合わせるよう前記導光板に形成された図形を表示させることができ、意外性の高い発光演出を行い得る。
なお、前記(Ａ)記載の遊技機に関しても、段落［０００９］〜［００１１］に記載の発明を適用し得ることは当然である。
【符号の説明】
【００８０】
１７  図柄表示装置
１７ａ  表示部
２１  板状部材(遊技領域形成部材)
２２  遊技領域
２９ａ  装着口(嵌合部)
４５  設置部材(空間画成部材)
４５ｃ  開口部(可視部)
４７  収容空間
４８  演出部材
７１  第１の導光パネル(導光板、第１の導光板)
７２  第２の導光パネル(導光板、第２の導光板)
９２  装飾カバー
１１０  発光体基板
１１１  第１のパネル発光体(図柄発光体、第１の図柄発光体)
１１２  第２のパネル発光体(図柄発光体、第２の図柄発光体)
１１３  カバー発光体(装飾発光体)
１１４  嵌合孔
１１６  仕切り板
１１７  突出部
１２１  第１のレンズ部材(レンズ部材)
１２２  第２のレンズ部材(レンズ部材)
１２３  下側凸レンズ部(凸レンズ部)
１３０  アース部材
１３０ａ  第１の接触部
１３０ｂ  第２の接触部
【図１】
2015198748.tif 000003
【図２】
2015198748.tif 000004
【図３】
2015198748.tif 000005
【図４】
2015198748.tif 000006
【図５】
2015198748.tif 000007
【図６】
2015198748.tif 000008
【図７】
2015198748.tif 000009
【図８】
2015198748.tif 000010
【図９】
2015198748.tif 000011
【図１０】
2015198748.tif 000012
【図１１】
2015198748.tif 000013
【図１２】
2015198748.tif 000014
【図１３】
2015198748.tif 000015